(57)【要約】【課題】収納性に優れ、安全性の向上した電動調理器を得る。【解決手段】容器１を逆さまにして、本体２の円筒部に被せコンパクトに収納可能とするために、容器１内に形成してある複数のリブ１ａの内径よりも、本体２の外径を小さい径となし、さらに、少なくとも本体２の前側には、容器１上部の注ぎ口部１ｂを避けるように溝部２ａが設けられ、容器１を逆さまにして、本体２に被せ収納した際に、注ぎ口部１ｂが当接しないよう溝部２ａの幅を大きく形成し、かつ、容器１を逆さまに収納した時に容器１内の水滴が、容器１内に溜まらず、外部へ流れ出るような構造とし、また、逆さまにして収納した時に、容器１内部を乾燥させるため、容器１を本体２からわずかに浮かすよう複数の凸部２ｂを、本体２の溝部２ａ底部に設けた電動調理器。【選択図】　図１
2004097306.tif 000002
【特許請求の範囲】
【請求項１】
円筒形の容器（１）内にカッター（７）が、本体（２）内部には電動機（４）が設けられ、スイッチ部（５）の動作により、電動機（４）に連動したカッター（７）が回転し、容器（１）内の材料が切削される電動調理器において、使用後の収納時には、容器（１）を逆さまにして、本体（２）の円筒部に被せコンパクトに収納可能とするために、本体（２）の回転方向に対してどの位置でも容器（１）が本体（２）に、被せることが出来るように、容器（１）内に形成してある複数のリブ（１ａ）の内径よりも、本体（２）の円筒部の外径を小さい径となし、さらに、少なくとも本体（２）の前側には、容器（１）内の水を注ぐために設けられた上部の注ぎ口部（１ｂ）を避けるように溝部（２ａ）が設けられ、容器（１）を逆さまにして、本体（２）に被せ収納した際に、注ぎ口部（１ｂ）が本体の前部に当接して引っ掛かり、容器（１）が浮き上がり、収納できなくなることを防ぐよう、溝部（２ａ）の幅を大きく形成し、かつ、容器（１）を逆さまに収納した時に容器（１）内の水滴が、容器（１）内に溜まらず、外部へ流れ出るような構造とし、また、逆さまにして収納した時に、容器（１）内部を乾燥させるため、容器（１）を本体（２）からわずかに浮かすよう突出した複数の凸部（２ｂ）を、本体（２）の溝部（２ａ）底部に設け、水滴が本体（２）の外側壁を伝わって本体（２）下部の外部へ流れ出る構造としたことを特徴とする電動調理器。
【請求項２】
本体（２）前部の溝部（２ａ）の前側には、スイッチ部（５）を有するスイッチ取付面（２ｃ）が形成され、逆さま収納時に容器（１）より流れ出る水滴が、スイッチ部（５）内に浸入しないようにスイッチ取付面（２ｃ）を容器（１）収納面よりも一段高く形成した構造を特徴とする請求項１記載の電動調理器。
【発明の詳細な説明】
【０００１】
【発明の属する技術分野】
本発明は、一般家庭などで使用するミキサーなどの電動調理器に関するものである。
【０００２】
【従来の技術】
従来のこの種の電動調理器は、一般的に調理用のガラス製容器（以下容器と称する）を本体の上部に載せて、材料を入れ、蓋をかぶせてからスイッチを入れて電動機（モーター）を運転し、容器に入れた材料を一定時間カッターで切削し、また撹拌して使用していた。使用後は、清掃した後も使用時と同様に容器を本体上に載せたまま収納していた。このため、背の高い製品を収納しなければならず、一般家庭では収納場所が限定され、使用後の置き場所に困るという問題があった。
【０００３】
この問題点を解消するために、収納時はミキサ調理体（容器）を上下反転させて本体の段部に載置し、その上に蓋を被せて、全体の高さを低くすることにより大きな収納スペースを必要としない調理器が提案されている。（例えば実公昭５８−１６３６４号公報）
【０００４】
【発明が解決しようとする課題】
前記従来例の構成では、収納形態が大きく、どこにでも収納可能とはならないものであった。また、後者の実公昭５８−１６３６４号公報のものでは、ある程度収納時の高さは低くなるものの、上下反転した容器を筒状の本体途中に設けた段部に載置しているので容器と本体部の重なる部分が少なく中途半端な高さとなっていた。
【０００５】
また、従来の構成では容器を逆さまにして本体に被せる場合には、容器のリブと本体側の溝部とを合わせて被せ収納していたので、誤って位置がずれてしまった場合には、途中までしか本体に収納できず、高さ方向のコンパクト化ができず、収納性を悪くさせるばかりでなく、収納時に位置が合わない状態で無理やり差し込んだりすると、本体の外部が容器のリブ部により傷つけられ、本体へダメージを与えるという問題があった。
【０００６】
また、使用後容器を洗浄した後、乾燥する前に逆さまにして、本体部に被せたならば、容器内の水滴が流れ落ち、本体上面を汚したり、あるいは本体内部の電気部品などをぬらしたりして大変危険なものであった。
【０００７】
【課題を解決するための手段】
上記課題を解決するために本発明は、容器内部の撹拌向上用に形成してある複数のリブの内径よりも、電動機（モーター）などの部品を内蔵している本体の外径を小さい径とすることにより、容器を逆さまにして、本体に被せコンパクトに収納する際には、本体の回転方向に対してどの位置でも、容器を本体に被せることが出来るようにしたものである。
【０００８】
また、容器を逆さまにして被せた時に容器上縁部と接する本体の円筒部の外周部分全周あるいは前側には溝部が設けられており、この溝部は容器の水の注ぎ口である注ぎ口部（幅広部）を避けるように幅を大きく形成し、かつ、容器を収納した時に容器を本体からわずかに浮かせるために溝部に複数の凸部を設けたものである。
【０００９】
さらに、スイッチ部を有するスイッチ取付面は前記溝部を形成した面よりも一段高く形成してあるものである。
【００１０】
このような、上記構造によれば、収納する度毎に、本体と容器のリブ部の位置合わせが必要でなくなり、従って誤って位置がずれてしまうということもなくなり、途中までしか本体に収納できないということがなくなり、高さ方向のコンパクト化が容易にでき、収納性の面で優れたものとすることができ、また、排水性が良くなり容器内の乾燥が速くなり、さらにスイッチ部に水が浸入するということもなくなるものである。
【００１１】
【発明の実施の形態】
本発明は、円筒形の容器内にカッターが、本体内部には電動機が設けられ、スイッチ部の動作により、電動機に連動したカッターが回転し、容器内の材料が切削される電動調理器において、使用後の収納時には、容器を逆さまにして、本体の円筒部に被せコンパクトに収納可能とするために、本体の回転方向に対してどの位置でも容器が本体に被せることが出来るように、容器内に撹拌向上の為に形成した複数のリブの内径よりも、本体の円筒部の外径を小さい径としたものである。さらに、少なくとも本体の前側には、容器内の水を注ぐために設けられた注ぎ口部を避けるように溝部が設けられ、容器を逆さまにして、本体に被せ収納した際に、注ぎ口部が本体の前部に当接して引っ掛かり、容器が浮き上がり、収納できなくなることを防ぐよう、溝部の幅を大きく形成したものである。また、容器を逆さまに収納した時に容器内の水滴が、容器内に溜まらず、外部へ流れ出るような構造とし、また、逆さまにして収納した時に、容器内部を乾燥させるため、容器を本体からわずかに浮かすよう複数の突出した凸部を、本体の溝部底部に設け、水滴が本体の外側壁を伝わって本体下部の外部へ流れ出る構造の電動調理器としたものである。
【００１２】
また、本体前部の溝部の前側には、スイッチ部を有するスイッチ取付面が形成され、逆さま収納時に容器より流れ出る水滴が、スイッチ部内に浸入しないようにスイッチ取付面を容器収納面よりも一段高く形成したものである。
【００１３】
【実施例】
以下本発明の一実施例を図面に基づいて詳細に説明する。図１は本発明の一実施例を示す電動調理器の断面図である。図２は同じく収納時の斜視図であり、図３は同じく収納時の断面図である。図４は本体の上面図である。
【００１４】
図において、１は円筒形のガラスコップ状の容器である。２は略円筒状の円筒部と制御部などを有する底部とで構成される本体であり、この本体２の内部には電動機４や前面にはスイッチ部５が設けられている。
【００１５】
前記容器１の内部には撹拌効率を向上させるための複数のリブ１ａが設けられており、容器１の上縁部には内部の調理物（ドリンク類）を注ぐ注ぎ口部１ｂが設けられている。また、容器１の下部には着脱自在にカッター台３がねじ込み式にて設けられ、本体２内部の電動機４がスイッチ部５により通電され回転すると、電動機４並びに接続するカップリング６が回転し、カッター台３の中央部に回転自在に設けられた材料切断用のカッター７により、容器１内の材料が撹拌切削され液体状のドリンク類を作るものである。８は容器１を覆う蓋である。
【００１６】
本体２の円筒部の外径は容器１内のリブ１ａよりも小さい径となっている。従って、使用後の収納時には、容器１を逆さまにして、本体２に被せコンパクトに収納可能となる。この収納時には、本体２の回転方向に対してどの位置でも容器１を本体２に被せることが出来るようになっている。なお、蓋８は容器１を逆さまにして本体２上に収納した後、容器１のカッター台３に嵌合させ収納するようになっている。
【００１７】
また、本体２の前側には、容器１内の液体を一箇所よりスムーズに注ぐために設けられた幅広の注ぎ口部１ｂを避ける様に溝部２ａが設けられ、容器１を逆さまにして、本体２に被せ収納した際に、注ぎ口部１ｂが本体の前部に当接して引っ掛かり、容器１が浮き上がり、収納できなくなることを防ぐように、溝部の幅を広く取っているものである。
【００１８】
図１〜図３における溝部２ａは、本体２の円筒部外周全周に設けられているが、図４における場合の溝部２ａは、本体２の後部側（図の右側）には設けられておらず（溝の形状をしていない）、外側に傾斜して水滴が外部へ流れ出るようになっているものである。
【００１９】
また、逆さまに収納した時に容器１内の水滴が、容器１内に溜まらず、外部へ流れ出るような構造とし、かつ、本体２との間の風通しを良くして、逆さまにして収納した時に、容器１内部を乾燥させるため、容器１を本体２からわずかに浮かすよう３個所の突出した凸部２ｂを、本体２の溝部２ａ底部に設け、水滴が本体２の外側壁を伝わって本体２下部の外部へ流れ出る構造となっている。なお、複数個の凸部２ｂは本体２の円筒部の同心円上にあり、床面に対して同じ高さに形成されているものである。
【００２０】
本体２前部の溝部２ａの前側には、スイッチ取付面２ｃが形成され、このスイッチ取付面２ｃにはスイッチ部５が内蔵され溝部２ａの面より一段高く形成されているものである。そして、容器１の逆さま収納時に、容器１より流れる水滴が電気的な通電部を有するスイッチ部５内に浸入しない様な構造となっている。
【００２１】
次に、本実施例の作用について説明する。
【００２２】
まず、円筒形の容器１内に、材料及び液体類を投入し、容器１の上部の蓋８を被せる。次に、蓋８を被せた容器１を本体２上に乗せる。電源コード９を差し込み、スイッチ部５を押すと、電動機４への通電がなされ、カップリング６を介して、カッター７が回転する。カッター７の回転により、材料は回転しながら切削され、約１分後には容器１内の材料が細かく砕かれ、水分とともに液体状になるものである。
【００２３】
この構造において、収納する度毎に、本体２と容器１のリブ１ａとの位置合わせが必要でなくなり、誤って位置がずれることもなく、従って、途中までしか本体２に収納できないということがなくなり、高さ方向のコンパクト化が容易にでき、収納性の面で優れたものとすることができるものである。
【００２４】
【発明の効果】
以上、本発明はこのような構成としたことにより、使用後の収納性において、ガラスコップ状の容器を本体に収納する時に位置合わせが必要なくなり、容器の回転方向のどの位置でも収納でき、従って誤って位置がずれることもなく、容器が本体の途中で引っかかることもなく、高さ方向のコンパクト化が容易にでき、収納性の面で優れたものとなるものである。
【００２５】
また、溝部に設けた複数の凸部に容器を載せることにより収納時の容器内の通気性が良くなり、容器内の水滴が容易に排出され、収納時にも自然に容器内を乾燥させることが出来るようになった。
【００２６】
また、電気部品の構造面においても、溝部の前側のスイッチ取付面を一段高く形成したことにより、容器からの水滴などがスイッチ部に入らなくなるため、電気的に安全となり、本体の構造面についても、優れた物とすることができ、きわめて大きな効果が得られるものである。
【図面の簡単な説明】
【図１】本発明の一実施例を示す電動調理器の断面図である。
【図２】同じく収納時の斜視図である。
【図３】同じく収納時の断面図である。
【図４】同じく本体の上面図である。
【符号の説明】
１：容器
１ａ：リブ
１ｂ：注ぎ口部
２：本体
２ａ：溝部
２ｂ：凸部
２ｃ：スイッチ取付面
４：電動機
５：スイッチ部
７：カッター
【図１】
2004097306.tif 000003
【図２】
2004097306.tif 000004
【図３】
2004097306.tif 000005
【図４】
2004097306.tif 000006